(57)【要約】【課題】より簡単な手法により、リスニングルームの聴取位置に壁等からの反射音が到達しないようにした単一指向性のスピーカ装置を得る。【解決手段】指向性が双指向性である開放型スピーカ１０と、指向性が無指向性である密閉型スピーカ２０とを含み、開放型スピーカ１０の背面側に、密閉型スピーカ２０がその放音面を開放型スピーカ１０の背面側に向けてそれらの放音軸線をほぼ同一として配置され、かつ、密閉型スピーカ２０を開放型スピーカ１０と同位相で駆動する密閉型スピーカ駆動手段３０を備える。【選択図】図１
2011009990.tif 000002
【特許請求の範囲】
【請求項１】
指向性が双指向性である開放型スピーカと、指向性が無指向性である密閉型スピーカとを含み、
上記開放型スピーカの背面側に、上記密閉型スピーカがその放音面を上記開放型スピーカの背面側に向けてそれらの放音軸線をほぼ同一として配置され、かつ、上記密閉型スピーカを上記開放型スピーカと同位相で駆動する密閉型スピーカ駆動手段を備えていることを特徴とするスピーカ装置。
【請求項２】
上記密閉型スピーカ駆動手段は、上記密閉型スピーカの背面側に配置される無指向性のマイクロホンと、上記マイクロホンの音声出力がほぼ０となるように、上記密閉型スピーカを駆動するフィードバック回路とからなることを特徴とする請求項１に記載のスピーカ装置。
【請求項３】
上記密閉型スピーカ駆動手段は、上記開放型スピーカの駆動音源から出力される音声信号の周波数応答を調整する周波数応答調整回路を備えていることを特徴とする請求項１に記載のスピーカ装置。
【発明の詳細な説明】
【技術分野】
【０００１】
本発明は、リスニングルームの聴取位置に壁等からの反射音が到達しないようにした単一指向性のスピーカ装置に関するものである。
【背景技術】
【０００２】
スピーカを駆動すると、振動板の前面側と背面側とからそれぞれ音波が放射される。前面側に放射される音波を正相とすれば、背面側から放射される音波は逆相であるため、リスニングルーム等において、聴取位置には壁面等からの反射音が到来する。
【０００３】
この反射音は、本来の音源には含まれていないため、反射音がないことが望ましい。そればかりでなく、スピーカの背面側に音波が放射されることにより、室内に存在する物が共振して、さらに音波を放射することがある。
【０００４】
そこで、一例としての特許文献１に記載された発明では、バッフル板により、スピーカの前面側と背面側とを音響的に分離するようにしているが、物理的にバッフル板は有限であるため、完全とは言えない。
【０００５】
他方において、スピーカをエンクロージャ内に収納し、そのエンクロージャ内でスピーカ背面からの音波を位相反転してエンクロージャの前面から放音させる位相反転方式やドロンコーン方式等が知られており、これらの方式によれば、上記した反射音の問題はほとんど生じない。
【０００６】
しかしながら、計算によって共振周波数を求めることが困難であるため、例えばエンクロージャ内の空気室の容積やドロンコーンの質量等を試行錯誤的に可変として、最適な共振周波数に設定するようにしており、この点が難点とされている。
【先行技術文献】
【特許文献】
【０００７】
【特許文献１】特開平１０−１０８２８５号公報
【発明の概要】
【発明が解決しようとする課題】
【０００８】
したがって、本発明の課題は、より簡単な手法により、リスニングルームの聴取位置に壁等からの反射音が到達しないようにした単一指向性のスピーカ装置を提供することにある。
【課題を解決するための手段】
【０００９】
上記課題を解決するため、本発明は、指向性が双指向性である開放型スピーカと、指向性が無指向性である密閉型スピーカとを含み、上記開放型スピーカの背面側に、上記密閉型スピーカがその放音面を上記開放型スピーカの背面側に向けてそれらの放音軸線をほぼ同一として配置され、かつ、上記密閉型スピーカを上記開放型スピーカと同位相で駆動する密閉型スピーカ駆動手段を備えていることを特徴としている。
【００１０】
本発明の好ましい態様によれば、上記密閉型スピーカ駆動手段は、上記密閉型スピーカの背面側に配置される無指向性のマイクロホンと、上記マイクロホンの音声出力がほぼ０となるように、上記密閉型スピーカを駆動するフィードバック回路とからなる。
【００１１】
また、本発明において、上記密閉型スピーカ駆動手段は、上記開放型スピーカの駆動音源から出力される音声信号の周波数応答を調整する周波数応答調整回路を備えている構成であってもよい。
【発明の効果】
【００１２】
本発明によれば、開放型スピーカの１８０度（背面側）から放射される音波は０度（前面側）から放射される音波に対して位相が逆であるため、密閉型スピーカを開放型スピーカと同位相で駆動することにより１８０度方向の音圧が減算されることになるため、リスニングルームの聴取位置に壁等からの反射音が到達しないようにした単一指向性のスピーカ装置を得ることができる。
【図面の簡単な説明】
【００１３】
【図１】本発明の第１実施形態に係るスピーカ装置を示す模式的な断面図。
【図２】本発明の第２実施形態に係るスピーカ装置を示す模式的な断面図。
【発明を実施するための形態】
【００１４】
次に、図１，２により、本発明の実施形態について説明するが、本発明はこれに限定されるものではない。
【００１５】
まず、図１を参照して、本発明の第１実施形態に係るスピーカ装置１Ａについて説明すると、このスピーカ装置１Ａは、開放型スピーカ１０と密閉型スピーカ２０を各１台ずつ備える。
【００１６】
開放型スピーカ１０の指向性は双指向性で、スピーカユニット１１の０度（前面側，図１において左側）から放射される音波と、１８０度（背面側，図１において右側）から放射される音波は、位相が逆となる。
【００１７】
すなわち、開放型スピーカ１０では、０度から放射される音波を正相すれば、１８０度から放射される音波は逆相である。これに対して、密閉型スピーカ２０の指向性は無指向性である。
【００１８】
図示しないリスニングルームにおいて、開放型スピーカ１０は聴取側（図１において左側）に配置され、密閉型スピーカ２０は開放型スピーカ１０の背面側（図１において右側）に配置される。
【００１９】
開放型スピーカ１０のスピーカユニット１１と、密閉型スピーカ２０のスピーカユニット２１は、それらの放音軸線をほぼ同一として配置されることが好ましい。また、各スピーカユニット１１，２１は同一のスピーカユニットであることが好ましい。
【００２０】
開放型スピーカ１０のスピーカユニット１１は、ＣＤデッキ等の音源Ｓから出力される音声信号によりパワーアンプ１２を介して駆動される。
【００２１】
これに対して、密閉型スピーカ駆動手段３０により、密閉型スピーカ２０を開放型スピーカ１０と同相で駆動することにより、開放型スピーカ１０の１８０度方向から放射される音圧が減算され（打ち消され）、スピーカ装置１Ａから後方に向けての音波をなくすことができる。
【００２２】
開放型スピーカ１０と密閉型スピーカ２０とでは指向周波数応答が異なることから、広い周波数帯域で単一指向性を保つ必要がある。
【００２３】
そのため、この第１実施形態における密閉型スピーカ駆動手段３０は、密閉型スピーカ２０の後方に配置される無指向性のマイクロホン３１と、そのマイクロホン出力を反転増幅する反転増幅器３２と、スピーカ駆動用のパワーアンプ３３を含むフィードバック回路からなり、マイクロホン出力がほぼ０となるように、密閉型スピーカ２０のスピーカユニット２１を駆動する。なお、マイクロホン３１は開放型スピーカ１０内に配置されてもよい。
【００２４】
次に、図２の第２実施形態に係るスピーカ装置１Ｂについて説明する。この第２実施形態に係るスピーカ装置１Ｂでは、密閉型スピーカ駆動手段３０に、ＣＤデッキ等の音源Ｓから出力される音声信号の周波数応答を所定に調整する周波数応答調整回路３４を備える。他の構成は上記第１実施形態と同じであってよく、周波数応答調整回路３４にはイコライザが好ましく採用される。
【００２５】
上記したように、本発明によれば、開放型スピーカ１０と密閉型スピーカ２０とを組み合わせるという簡単な手法により、リスニングルームの聴取位置に壁等からの反射音が到達しないようにした単一指向性のスピーカ装置を得ることができる。なお、上記各実施形態において、開放型スピーカ１０には、ダイナミック型のほかに、コンデンサ型等が用いられてもよい。
【符号の説明】
【００２６】
１Ａ，１Ｂ  スピーカ装置
１０  開放型スピーカ
１１  スピーカユニット
２０  密閉型スピーカ
２１  スピーカユニット
３０  密閉型スピーカ駆動手段
３１  マイクロホン
３２  反転増幅器
３３  パワーアンプ
３４  周波数応答調整回路
【図１】
2011009990.tif 000003
【図２】
2011009990.tif 000004